(57)【特許請求の範囲】
【請求項１】
浴槽と風呂用熱交換器とを循環ポンプを備えた往管及び復管とで連通した風呂循環回路と、入水管と給湯用熱交換器と出湯管とを順に連結した給湯回路とを具備し、更に前記した風呂循環回路と給湯回路とは出湯管から分岐した湯張り回路で連通されたものに於いて、前記浴槽への湯張り回路を介した設定温度より低い所定温度の湯張り後、風呂循環回路による設定温度までの追焚き運転を行う自動風呂運転機能を備え、設定された時刻より一定時間前に前記自動風呂運転を行わせる予約タイマー手段を備えると共に、この予約タイマー手段は設定された時刻の到来で、所定時間間隔で風呂湯温を検知し設定温度以下では設定温度まで追い焚きし所定時間の間は風呂湯温を設定温度に保持する風呂の保温運転を開始させる事を特徴とする自動風呂装置。
【請求項２】
前記保温運転は、初回時のみ風呂湯温が設定温度以上でも、一定時間循環ポンプを駆動させる事を特徴とする請求項１記載の自動風呂装置。
【発明の詳細な説明】
【０００１】
【発明の属する技術分野】
この発明は、風呂の自動運転装置に関し、その予約タイマー手段の使用勝手を良くし、しかも省エネ性の向上を計ったものに関する。
【０００２】
【従来の技術】
従来よりこの種のものに於いては、例えば特公平２−５３６９６号公報に開示されている如く、予約時刻から予め定めた一定時間だけ遡って自動風呂運転を開始すると共に、沸き上げ完了後は予約時刻より一定時間だけ遡って保温運転を行い、予約時刻には風呂は確実に沸き上げられており、快適な入浴が得られるものであった。
【０００３】
【発明が解決しようとする課題】
ところでこの従来のものでは、予約時刻より一定時間だけ遡って保温運転を行い、予約時刻には常に設定湯温を維持しておくものであるが、普通予約時刻ピッタリに風呂に入る人は少なく、通常多くの人は予約時刻後にようやく入浴準備に入るものであり、予約時刻の一定時間前から保温運転をしたのでは、無駄なエネルギーを消費してしまうと言う結果となり、しかも保温運転でも追焚き運転直後と直前とでは大きな温度差があり、必ず設定温度の快適な入浴が得られるとはかぎらないものであった。
【０００４】
【課題を解決するための手段】
この発明はこの点に着目し上記課題を解決するため、特にその構成を、浴槽と風呂用熱交換器とを循環ポンプを備えた往管及び復管とで連通した風呂循環回路と、入水管と給湯用熱交換器と出湯管とを順に連結した給湯回路とを具備し、更に前記した風呂循環回路と給湯回路とは出湯管から分岐した湯張り回路で連通されたものに於いて、前記浴槽への湯張り回路を介した設定温度より低い所定温度の湯張り後、風呂循環回路による設定温度までの追焚き運転を行う自動風呂運転機能を備え、設定された時刻より一定時間前に前記自動風呂運転を行わせる予約タイマー手段を備えると共に、この予約タイマー手段は設定された時刻の到来で、所定時間間隔で風呂湯温を検知し設定温度以下では設定温度まで追い焚きし所定時間の間は風呂湯温を設定温度に保持する風呂の保温運転を開始させるようにしたものである。
【０００５】
又予約時刻到来による保温運転開始では、初回時のみ湯温が設定温度以上でも、一定時間循環ポンプを駆動させて、浴槽内の上下の湯温差をなくし均一にしておくようにしたものである。
【０００６】
【発明の実施の形態】
風呂予約スイッチ３１を押圧し予約状態とした後、入浴したい時刻を時、分スイッチ３２、３３で設定し、風呂予約スイッチ３１を再度押圧すれば、予約タイマー手段２８がスタートして現在時刻と予約時刻とを随時比較すると共に、この予約時刻から季節に関係なく該予約時刻前に必ず風呂を沸き上げることが出来る一定時間を差し引いた時刻を記憶し、この一定時間前時刻と現在時刻との比較も行うものである。
【０００７】
そして、一定時間前時刻の到来で予約タイマー手段２８は自動風呂運転を開始させ、予め使用者が設定した入浴設定温度より所定温度低い温度で、湯張り回路２３を介して給湯回路７から浴槽１７に設定量の湯張りを行った後、設定温度まで風呂循環回路１６で追焚きを行い、風呂を一旦沸き上げるものである。
【０００８】
次に予約時刻の到来で、予約タイマー手段２８は４時間の保温運転を開始させるものであり、即ち、先ず循環ポンプ２１を駆動し浴槽１７内の湯水を循環させて、風呂サーミスタ２０で現在湯温を検知し、この湯温が入浴設定温度以下では継続して循環ポンプ２１を駆動させながら追焚きを行い、設定温度に沸き上げるものであり、又湯温が入浴設定温度以上では、追焚きは行わず循環ポンプ２１の駆動を停止させるものであり、この作動を所定時間間隔で行い湯温を４時間は設定温度に保持するものであるが、予約時刻到来時の保温運転初回時のみ、湯温が入浴設定温度以上でも一定時間循環ポンプ２１の駆動を継続して、浴槽１７内の上下の温度差を緩和して快適な入浴が行えるようにするものである。
【０００９】
従って、予約時刻には風呂は一旦沸き上がっていることは勿論、予約時刻の到来で初めて保温運転を開始するので、無駄な保温運転がなく省エネルギーであると共に、予約時刻から入浴準備に入れば、丁度快適な入浴が行える確率が極めて高いものである。
【００１０】
【実施例】
次にこの発明に係る自動風呂装置を図面に示された一実施例で説明する。
１は自動風呂装置の本体で、給湯用熱交換器２及び風呂用熱交換器３とからなる熱交換器４が設けられている。
【００１１】
５は前記熱交換器４の下部に備えられた燃焼部で、石油気化式のバーナ６に送風機（図示せず）により燃焼用空気を送風すると共に、燃料ポンプ（図示せず）により燃油を供給することにより燃焼を行うものである。
【００１２】
７は入水管８から給湯用熱交換器２を経て出湯管９に至る給湯回路で、水道管１０に直結している入水管８から入水された水道水を給湯フローセンサ１１により空焚き防止のため通水検知し、給水サーミスタ１２にてその温度を検知し、給湯用熱交換器２にて熱交換した後、設定温度になるようにミキシング弁１３にて入水管８から入水された水道水の一部を混合し、給湯サーミスタ１４で出湯水の温度を検知して、出湯管９から接続されている水栓（図示せず）に向けて出湯するもので、更にミキシング弁１３の下流側には断続して給湯した場合の湯温ムラを防ぐための水比例弁１５を設けたものである。
【００１３】
１６は浴槽１７から往管１８を通り、風呂用熱交換器３を経て復管１９を通って再び浴槽１７に至る風呂循環回路で、浴槽１７から往管１８を通って風呂用熱交換器３に流入する浴槽水の温度を検知する風呂サーミスタ２０と、往管１８と風呂用熱交換器３との間に位置して風呂循環回路１６内に浴槽水を循環させる循環ポンプ２１と、風呂用熱交換器３と復管１９との間に位置して、空焚き防止のため浴槽水の水流を検知する流水スイッチ２２とを備えたものである。
【００１４】
２３は一端を給湯口９と給湯サーミスタ１４との間の給湯回路７と接続し、他端を三方弁２４を介してから往管１８を通り、風呂用熱交換器３を経て復管１９を通って再び浴槽１７に循環ポンプ２１と風呂用熱交換器３との間の風呂循環回路１６と接続した湯張り回路で、給湯回路７と湯張り回路２３との開通及び不通は電磁弁２５の開閉により行い、風呂循環回路１６と湯張り回路２３との開通及び不通は三方弁２４の動作により行い、給湯回路７から供給されたお湯を湯張りフローセンサ２６により通水検知し、また、逆止弁２７にて風呂循環回路１６内の浴槽水が給湯回路７内に流れるのを防止しているものである。
【００１５】
２８はマイコン２９内の機能としての予約タイマー手段で、リモコン３０に備えられた風呂予約スイッチ３１の一回目の押圧で待機状態となり、時スイッチ３２及び分スイッチ３３を表示部３４を見ながら操作して、希望する入浴時刻をセットし、再び風呂予約スイッチ３１を押圧することで、この入浴時刻を記憶すると共に、現在時刻との比較を計時開始する。
【００１６】
又この予約タイマー手段２８は、別に入浴時刻から季節に関係なく確実に風呂を沸き上げることが出来る一定時間を差し引いた時刻も演算記憶し、この時刻の到来で浴槽１７への設定温度より低い所定温度の湯張り後、設定温度への追焚きを行う自動風呂運転を行わせるものであり、更に設定した入浴時刻の到来初めて４時間の保温運転をスタートさせ、しかもこの時浴槽１７内の湯温が設定温度以上では循環ポンプ２１の駆動を一定時間継続した後に停止させるものである。
【００１７】
次にこの発明一実施例の作動について、図３のフローチャートに従って説明する。
先ず入浴設定温度をセットした後、前記した如く時、分スイッチ３２、３３で希望する入浴時刻をセットし、風呂予約スイッチ３１を押圧すれば予約タイマー運転がスタートして、予約タイマー手段２８では設定された入浴時刻から一定時間を差し引いた時刻に現在時刻が達したかを判断する。（ステップ３５）
【００１８】
そして、ＹＥＳでステップ３６に進み三方弁２４及び電磁弁２５に通電すると共に、燃焼部５の燃焼を開始させ、給湯回路７の給湯を湯張り回路２３を介して湯張り開始され、ステップ３７で設定温度より数度低い所定温度の温水を所定量浴槽１７に湯張りして湯張りを終了させ、ステップ３８に進み循環ポンプ２１を駆動させて浴槽１７内の湯水を風呂循環回路１６に循環させ設定温度まで加温し、設定温度に達することでこの駆動を停止してステップ３９で追焚き終了し、希望入浴時刻前には一旦必ず風呂は沸き上がっているものである。
【００１９】
次にステップ４０で予約タイマー手段２８は、予約時刻の到来を待ちＹＥＳでステップ４１に進んで循環ポンプ２１を駆動させ、ステップ４２で風呂湯温が設定温度以下かを判断し、即ち沸き上げ後時間がたって予約した入浴時刻には、湯温が設定温度以下に低下した時には、ＹＥＳでステップ４３に進み再び追焚きを行い、設定温度まで湯温が上昇したかをステップ４４で判断し、ＹＥＳでステップ４５に進んで追焚きを終了すると共に、循環ポンプ２１の駆動も停止させるものである。
【００２０】
更にステップ４２でＮＯの時、即ち風呂の沸き上げからそれ程時間がたっておらず、風呂湯温が設定温度以上の場合には、ステップ４６で先ず循環ポンプ２１の駆動が風呂予約の保温運転の初回かを判断し、ＹＥＳでステップ４７に進み循環ポンプ２１を５分〜１０分の一定時間継続して駆動させて、浴槽１７内の上下の温度差をなくし快適な入浴が得られるようにしているものであり、この一定時間後及び前記のステップ４６でＮＯでは、ステップ４８に進み循環ポンプ２１は停止するものである。
【００２１】
そして、ステップ４５及びステップ４８の次に共に同じステップ４９に進み、保温運転の開始から４時間が経過したかを判断し、ＮＯではステップ５０に進んで、循環ポンプ２１停止から一定時間の３０分が経過したかを判断して、ＹＥＳで再びステップ４１に戻って循環ポンプ２１を駆動させるものであり、即ち循環ポンプ２１を駆動しての風呂湯温の検知を一定時間間隔で行っているものであり、又ステップ４９で４時間が経過してのＹＥＳでは、この風呂予約からの保温運転を停止するものである。
【００２２】
従って、入浴予約時刻には一旦沸き上がった風呂の保温運転が開始され、入浴準備後入浴することで、設定温度の湯温での入浴が行える確率が極めて高く、常に良好な入浴が行えると共に、無駄なエネルギー消費がなく省エネルギーの自動風呂運転が得られるものである。
【００２３】
更に予約時刻の保温運転開始の初回のみ風呂湯温が設定温度に達していた時には、循環ポンプを一定時間駆動させてから停止させるので、浴槽内の上下の温度差がなくなり快適な入浴が行えるものである。
【００２４】
【発明の効果】
要するにこの発明によれば、入浴予約時刻には一旦沸き上がった風呂の保温運転が開始され、入浴準備後入浴することで、設定温度の湯温での入浴が行える確率が極めて高く、常に良好な入浴が行えると共に、無駄なエネルギー消費がなく省エネルギーの自動風呂運転が得られるものである。
【００２５】
又この発明の請求項２によれば、予約時刻の保温運転開始の初回のみ風呂湯温が設定温度に達していた時には、循環ポンプを一定時間駆動させてから停止させるので、浴槽内の上下の温度差がなくなり快適な入浴が行えるものである。
【図面の簡単な説明】
【図１】この発明の一実施例を付した自動風呂装置の概略構成図。
【図２】同要部電気回路のブロック図。
【図３】同要部のフローチャート。
【符号の説明】
２  給湯用熱交換器
３  風呂用熱交換器
７  給湯回路
８  入水管
９  出湯管
１６  風呂循環回路
１７  浴槽
１８  往管
１９  復管
２１  循環ポンプ
２３  湯張り回路
２８  予約タイマー手段
【図１】
0003913464.tif 000002
【図２】
0003913464.tif 000003
【図３】
0003913464.tif 000004